【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基２５〜４０モル％；及び
ｉｉ）シクロヘキサンジメタノール残基６０〜７５モル％
を含むグリコール成分
を含む少なくとも１種のポリエステルを含んでなり（ここで前記ジカルボン酸成分の総モル％は１００モル％であり且つ前記グリコール成分の総モル％は１００モル％である）、前記ポリエステルのインヘレント粘度が、６０／４０（ｗｔ／ｗｔ）フェノール／テトラクロロエタン中で０．２５ｇ／５０ｍｌの濃度において２５℃で測定した場合に、０．３５ｄＬ／ｇ〜０．７０ｄＬ／ｇ未満であり且つ前記ポリエステルが１１０〜２００℃のＴｇを有するポリエステル組成物。
【請求項２】
前記グリコール成分が２，２，４，４−テトラメチル−１，３−シクロブタンジオール残基３０〜４０モル％及び１，４−シクロヘキサンジメタノール残基６０〜７０モル％を含む請求項１に記載の組成物。
【請求項３】
前記ポリエステルのインヘレント粘度が０．３５ｄＬ／ｇ〜０．７０ｄＬ／ｇ未満である請求項１に記載の組成物。
【請求項４】
前記ポリエステルのインヘレント粘度が０．４０〜０．７０ｄＬ／ｇである請求項１に記載の組成物。
【請求項５】
前記ポリエステルのインヘレント粘度が０．５０〜０．７０ｄＬ／ｇである請求項１に記載の組成物。
【請求項６】
前記ポリエステルのインヘレント粘度が０．５０〜０．７５ｄＬ／ｇである請求項１に記載の組成物。
【請求項７】
前記ポリエステルのインヘレント粘度が０．５０〜０．６８ｄＬ／ｇである請求項１に記載の組成物。
【請求項８】
前記ポリエステルのインヘレント粘度が０．５８ｄＬ／ｇ〜０．７０ｄＬ／ｇ未満である請求項１に記載の組成物。
【請求項９】
前記ポリエステルのインヘレント粘度が０．５８〜０．６８ｄＬ／ｇである請求項１に記載の組成物。
【請求項１０】
前記ポリエステルのインヘレント粘度が０．６０ｄＬ／ｇ〜０．７０ｄＬ／ｇ未満である請求項１に記載の組成物。
【請求項１１】
前記ポリエステルが１１０〜１３０℃のＴｇを有する請求項１に記載の組成物。
【請求項１２】
前記ポリエステルが１１０〜１２５℃のＴｇを有する請求項１に記載の組成物。
【請求項１３】
前記ポリエステルが１１０〜１２３℃のＴｇを有する請求項１に記載の組成物。
【請求項１４】
前記ポリエステルが１１３〜１２３℃のＴｇを有する請求項１に記載の組成物。
【請求項１５】
前記ポリエステルが１１０〜１２０℃のＴｇを有する請求項１に記載の組成物。
【請求項１６】
前記ジカルボン酸成分がテレフタル酸残基を８０〜１００モル％含む請求項１に記載の組成物。
【請求項１７】
前記ジカルボン酸成分がテレフタル酸残基を９０〜１００モル％含む請求項１に記載の組成物。
【請求項１８】
前記ジカルボン酸成分がテレフタル酸残基を９５〜１００モル％含む請求項１に記載の組成物。
【請求項１９】
前記ポリエステルが１，３−プロパンジオール残基、１，４−ブタンジオール残基又はそれらの混合物を含む請求項１に記載の組成物。
【請求項２０】
前記ポリエステルがエチレングリコールを０．０１〜１５モル％含む請求項１に記載のポリエステル組成物。
【請求項２１】
前記ポリエステルがエチレングリコールを０．０１〜１０モル％含む請求項１に記載のポリエステル組成物。
【請求項２２】
前記２，２，４，４−テトラメチル−１，３−シクロブタンジオール残基がシス−２，２，４，４−テトラメチル−１，３−シクロブタンジオール残基３０〜７０モル％及びトランス−２，２，４，４−テトラメチル−１，３−シクロブタンジオール残基３０〜７０モル％を含む混合物である請求項１に記載の組成物。
【請求項２３】
前記２，２，４，４−テトラメチル−１，３−シクロブタンジオール残基がシス−２，２，４，４−テトラメチル−１，３−シクロブタンジオール残基４０〜６０モル％及びトランス−２，２，４，４−テトラメチル−１，３−シクロブタンジオール残基４０〜６０モル％を含む混合物である請求項１に記載の組成物。
【請求項２４】
前記ポリエステル組成物がナイロン；請求項１に記載のポリエステル以外の他のポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド）；ポリフェニレンオキシド；又はポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）；又はそれらの混合物のうち少なくとも１種から選ばれた少なくとも１種のポリマーを含む請求項１に記載の組成物。
【請求項２５】
前記ポリエステル組成物が少なくとも１種のポリカーボネートを含む請求項２４に記載の組成物。
【請求項２６】
前記ポリエステルが前記ポリエステル用の少なくとも１種の分岐剤の残基を含む請求項１に記載の組成物。
【請求項２７】
前記ポリエステルが、前記酸又はグリコール残基の総モル％に基づき、０．０１〜１０重量％の量で少なくとも１種の分岐剤の残基を含む請求項１に記載の組成物。
【請求項２８】
前記ポリエステルが、前記酸又はグリコール残基の総モル％に基づき、０．０１〜５重量％の量で少なくとも１種の分岐剤の残基を含む請求項１に記載の組成物。
【請求項２９】
前記ポリエステルの溶融粘度が、回転メルトレオメーターで２９０℃で１ラジアン／秒で測定した場合に、３０，０００ポアズ未満である請求項１に記載の組成物。
【請求項３０】
前記ポリエステルが１７０℃において５分より長い半結晶化時間を有する請求項１に記載の組成物。
【請求項３１】
前記ポリエステルが１７０℃において１，０００分より長い半結晶化時間を有する請求項１に記載の組成物。
【請求項３２】
前記ポリエステルが１７０℃において１０，０００分より長い半結晶化時間を有する請求項１に記載の組成物。
【請求項３３】
前記ポリエステル組成物が２３℃において１．２ｇ／ｍｌ未満の密度を有する請求項１に記載の組成物。
【請求項３４】
前記ポリエステル組成物が少なくとも１種の熱安定剤、それらの反応生成物及び／又はそれらの混合物を含む請求項１に記載の組成物。
【請求項３５】
前記ポリエステル組成物が燐酸、亜燐酸、ホスホン酸、ホスフィン酸、亜ホスホン酸並びにそれらの種々のエステル及び塩のうち少なくとも１種から選ばれた少なくとも１種の熱安定剤、それらの反応生成物及び／又はそれらの混合物を含む請求項１に記載の組成物。
【請求項３６】
前記エステルがアルキル、分岐鎖アルキル、置換アルキル、二官能価アルキル、アルキルエーテル、アリール及び置換アリールエステルのうち少なくとも１種から選ばれる請求項３５に記載の組成物。
【請求項３７】
前記ポリエステル組成物が置換又は非置換燐酸アルキルエステル、置換又は非置換燐酸アリールエステル、置換又は非置換燐酸アルキルアリール混成エステル、ジホスファイト、燐酸の塩、ホスフィンオキシド及びアリールアルキル混成ホスファイトのうち少なくとも１種から選ばれた少なくとも１種の熱安定剤から選ばれた少なくとも１種の熱安定剤、それらの反応生成物及び／又はそれらの混合物を含む請求項１に記載の組成物。
【請求項３８】
前記ポリエステル組成物が少なくとも１種の燐酸アルキルエステル、燐酸アリールエステル、燐酸アルキルアリール混成エステル、それらの反応生成物及びそれらの混合物から選ばれた少なくとも１種の熱安定剤、それらの反応生成物及び／又はそれらの混合物を含む請求項１に記載の組成物。
【請求項３９】
前記ポリエステル組成物が少なくとも１種の燐酸アリールエステルから選ばれた少なくとも１種の熱安定剤、それらの反応生成物及び／又はそれらの混合物を含む請求項１に記載の組成物。
【請求項４０】
前記ポリエステル組成物が少なくとも１種の燐酸トリアリールエステルから選ばれた少なくとも１種の熱安定剤、それらの反応生成物及び／又はそれらの混合物を含む請求項１に記載の組成物。
【請求項４１】
前記ポリエステル組成物が少なくとも１種の燐酸アルキルエステルを含む請求項１に記載の組成物。
【請求項４２】
前記ポリエステル組成物が燐酸トリフェニルを含む少なくとも１種の熱安定剤、それらの反応生成物及び／又はそれらの混合物を含む請求項１に記載の組成物。
【請求項４３】
前記ポリエステル組成物がメルポール（Ｍｅｒｐｏｌ）Ａを含む少なくとも１種の熱安定剤、それらの反応生成物及び／又はそれらの混合物を含む請求項１に記載の組成物。
【請求項４４】
前記ポリエステル組成物がジホスファイト、燐酸の塩、ホスフィンオキシド及びアリールアルキル混成ホスファイトのうち少なくとも１種を含む少なくとも１種の熱安定剤、それらの反応生成物及び／又はそれらの混合物を含む請求項１に記載の組成物。
【請求項４５】
前記ポリエステル組成物が燐原子を含む少なくとも１種の熱安定剤、それらの反応生成物及び／又はそれらの混合物を含む請求項１に記載の組成物。
【請求項４６】
ＡＳＴＭ  Ｄ−１９２５による前記ポリエステルの黄色度指数が５０未満である請求項１に記載の組成物。
【請求項４７】
前記ポリエステルが、ＡＳＴＭ  Ｄ２５６に従って厚さ１／８インチのバーの１０ｍｉｌノッチを用いて２３℃で測定した場合に、少なくとも３ｆｔ−ｌｂｓ／ｉｎのノッチ付きアイゾッド衝撃強度を有する請求項１に記載の組成物。
【請求項４８】
前記ポリエステルが、ＡＳＴＭ  Ｄ２５６に従って厚さ１／８インチのバーの１０ｍｉｌノッチを用いて２３℃で測定した場合に、少なくとも１０ｆｔ−ｌｂｓ／ｉｎのノッチ付きアイゾッド衝撃強度を有する請求項１に記載の組成物。
【請求項４９】
前記ポリエステルが少なくとも１種の錫化合物又はその反応生成物を含む少なくとも１種の触媒の残基を含む請求項１に記載の組成物。
【請求項５０】
前記ポリエステルがチタン化合物又はその反応生成物から選ばれた少なくとも１種の触媒及び少なくとも１種の錫化合物又はその反応生成物を含む少なくとも１種の触媒の残基を含む請求項１に記載の組成物。
【請求項５１】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基２５〜４０モル％；及び
ｉｉ）シクロヘキサンジメタノール残基６０〜７５モル％
を含むグリコール成分
を含む少なくとも１種のポリエステルを含んでなり（ここで前記ジカルボン酸成分の総モル％は１００モル％であり且つ前記グリコール成分の総モル％は１００モル％である）、前記ポリエステルのインヘレント粘度が、６０／４０（ｗｔ／ｗｔ）フェノール／テトラクロロエタン中で０．２５ｇ／５０ｍｌの濃度において２５℃で測定した場合に、０．３５〜０．６８ｄＬ／ｇであり且つ前記ポリエステルが１１０〜１３０℃のＴｇを有するポリエステル組成物。
【請求項５２】
（Ｉ）（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基２５〜４０モル％；及び
ｉｉ）シクロヘキサンジメタノール残基６０〜７５モル％
を含むグリコール成分
を含む少なくとも１種のポリエステル；並びに
（ＩＩ）少なくとも１種の分岐剤の残基
を含んでなり（ここで前記ジカルボン酸成分の総モル％は１００モル％であり且つ前記グリコール成分の総モル％は１００モル％である）、前記ポリエステルのインヘレント粘度が、６０／４０（ｗｔ／ｗｔ）フェノール／テトラクロロエタン中で０．２５ｇ／５０ｍｌの濃度において２５℃で測定した場合に、０．３５〜１．２ｄＬ／ｇであり且つ前記ポリエステルが１１０〜２００℃のＴｇを有するポリエステル組成物。
【請求項５３】
前記Ｔｇが１１０〜１３０℃である請求項５２に記載の組成物。
【請求項５４】
前記Ｔｇが１１０〜１２５℃である請求項５３に記載の組成物。
【請求項５５】
前記グリコール成分が２，２，４，４−テトラメチル−１，３−シクロブタンジオール残基３０〜４０モル％及び１，４−シクロヘキサンジメタノール残基６０〜７０モル％を含む請求項５２〜５４のいずれか１項に記載の組成物。
【請求項５６】
前記グリコール成分が２，２，４，４−テトラメチル−１，３−シクロブタンジオール残基２５〜３５モル％及び１，４−シクロヘキサンジメタノール残基６０〜７０モル％を含む請求項５２〜５４のいずれか１項に記載の組成物。
【請求項５７】
前記ポリエステルのインヘレント粘度が０．５〜０．７５ｄＬ／ｇである請求項５２〜５４のいずれか１項に記載の組成物。
【請求項５８】
前記ポリエステルのインヘレント粘度が０．５〜０．７２ｄＬ／ｇである請求項５２〜５４のいずれか１項に記載の組成物。
【請求項５９】
前記ポリエステルのインヘレント粘度が０．５〜０．７ｄＬ／ｇである請求項５２〜５４のいずれか１項に記載の組成物。
【請求項６０】
前記ポリエステルのインヘレント粘度が０．５〜０．６８ｄＬ／ｇである請求項５２〜５４のいずれか１項に記載の組成物。
【請求項６１】
前記ポリエステルのインヘレント粘度が０．６〜０．７２ｄＬ／ｇである請求項５２〜５４のいずれか１項に記載の組成物。
【請求項６２】
前記ポリエステルのインヘレント粘度が０．５０〜１．２ｄＬ／ｇである請求項５２に記載の組成物。
【請求項６３】
前記ポリエステルのインヘレント粘度が０．５０〜１．１ｄＬ／ｇである請求項５２に記載の組成物。
【請求項６４】
前記ポリエステルのインヘレント粘度が０．５０〜１ｄＬ／ｇである請求項５２に記載の組成物。
【請求項６５】
前記ポリエステルのインヘレント粘度が０．５０〜０．９ｄＬ／ｇである請求項５２に記載の組成物。
【請求項６６】
（Ｉ）（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基２５〜４０モル％；及び
ｉｉ）シクロヘキサンジメタノール残基６０〜７５モル％
を含むグリコール成分
を含む少なくとも１種のポリエステル；並びに
（ＩＩ）少なくとも１種の熱安定剤、それらの反応生成物及び／又はそれらの混合物
を含んでなり（ここで前記ジカルボン酸成分の総モル％は１００モル％であり且つ前記グリコール成分の総モル％は１００モル％である）、前記ポリエステルのインヘレント粘度が、６０／４０（ｗｔ／ｗｔ）フェノール／テトラクロロエタン中で０．２５ｇ／５０ｍｌの濃度において２５℃で測定した場合に、０．３５〜１．２ｄＬ／ｇであり且つ前記ポリエステルが１１０〜２００℃のＴｇを有するポリエステル組成物。
【請求項６７】
前記ポリエステル組成物が少なくとも１種の熱安定剤、それらの反応生成物及び／又はそれらの混合物を含む請求項１に記載の組成物。
【請求項６８】
前記ポリエステル組成物が燐酸、亜燐酸、ホスホン酸、ホスフィン酸、亜ホスホン酸並びにそれらの種々のエステル及び塩のうち少なくとも１種から選ばれた少なくとも１種の熱安定剤、それらの反応生成物及び／又はそれらの混合物を含む請求項１に記載の組成物。
【請求項６９】
前記エステルがアルキル、分岐鎖アルキル、置換アルキル、二官能価アルキル、アルキルエーテル、アリール及び置換アリールエステルのうち少なくとも１種から選ばれる請求項６６に記載の組成物。
【請求項７０】
前記ポリエステル組成物が置換又は非置換燐酸アルキルエステル、置換又は非置換燐酸アリールエステル、置換又は非置換燐酸アルキルアリール混成エステル、ジホスファイト、燐酸の塩、ホスフィンオキシド及びアリールアルキル混成ホスファイトのうち少なくとも１種から選ばれた少なくとも１種の熱安定剤から選ばれた少なくとも１種の熱安定剤、それらの反応生成物及び／又はそれらの混合物を含む請求項６６に記載の組成物。
【請求項７１】
前記ポリエステル組成物が少なくとも１種の燐酸アルキルエステル、燐酸アリールエステル、燐酸アルキルアリール混成エステル、それらの反応生成物及びそれらの混合物から選ばれた少なくとも１種の熱安定剤、それらの反応生成物及びそれらの混合物を含む請求項６６に記載の組成物。
【請求項７２】
前記ポリエステル組成物が少なくとも１種の燐酸アリールエステルから選ばれた少なくとも１種の熱安定剤、それらの反応生成物及び／又はそれらの混合物を含む請求項６６に記載の組成物。
【請求項７３】
前記ポリエステル組成物が少なくとも１種の燐酸トリアリールエステルから選ばれた少なくとも１種の熱安定剤、それらの反応生成物及び／又はそれらの混合物を含む請求項６６に記載の組成物。
【請求項７４】
前記ポリエステル組成物が少なくとも１種の燐酸アルキルエステルを含む請求項６６に記載の組成物。
【請求項７５】
前記ポリエステル組成物がジホスファイト、燐酸の塩、ホスフィンオキシド及びアリールアルキル混成ホスファイトのうち少なくとも１種を含む少なくとも１種の熱安定剤、それらの反応生成物及び／又はそれらの混合物を含む請求項６６に記載の組成物。
【請求項７６】
前記ポリエステル組成物が燐原子を含む少なくとも１種の熱安定剤、それらの反応生成物及び／又はそれらの混合物を含む請求項６６に記載の組成物。
【請求項７７】
前記ポリエステルが非晶質である請求項１に記載のポリエステル組成物。
【請求項７８】
請求項１に記載のポリエステル組成物を含んでなる製造品。
【請求項７９】
請求項１に記載のポリエステル組成物を含んでなるフィルム又はシート。
【請求項８０】
前記製造品を押出ブロー成形によって形成する請求項７８に記載の製造品。
【請求項８１】
前記製造品を押出延伸ブロー成形によって形成する請求項７８に記載の製造品。
【請求項８２】
前記製造品を射出成形によって形成する請求項７８に記載の製造品。
【請求項８３】
前記製造品を射出延伸ブロー成形によって形成する請求項７８に記載の製造品。
【請求項８４】
前記フィルム又はシートを押出又はカレンダリングによって生成する請求項７９に記載のフィルム又はシート。
【請求項８５】
請求項１に記載のポリエステル組成物を含んでなる射出成形品。
【請求項８６】
（ａ）５〜９５重量％の量の請求項１に記載の少なくとも１種のポリエステル；及び
（ｂ）５〜９５重量％の量の少なくとも１種のポリマー成分
を含んでなるブレンド。
【請求項８７】
前記の少なくとも１種のポリマー成分がナイロン；請求項１に記載のポリエステル以外の他のポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド）；ポリフェニレンオキシド；又はポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）のうち少なくとも１種から選ばれる請求項８６に記載のブレンド。
【請求項８８】
（Ｉ）（ａ）（ｉ）テレフタル酸残基７０〜１００モル％；
（ｉｉ）炭素数２０以下の芳香族ジカルボン酸残基０〜３０モル％；及び
（ｉｉｉ）炭素数１６以下の脂肪族ジカルボン酸残基０〜１０モル％
を含むジカルボン酸成分；並びに
（ｂ）（ｉ）２，２，４，４−テトラメチル−１，３−シクロブタンジオール残基；及び
（ｉｉ）シクロヘキサンジメタノール残基
を含むグリコール成分
を含む混合物（ここで工程（Ｉ）において添加するグリコール成分／ジカルボン酸成分のモル比は１．０〜１．５／１．０である）を、１５０〜２００℃から選ばれた少なくとも１つの温度及び０〜７５ｐｓｉｇの範囲から選ばれた少なくとも１つの圧力において、（ｉ）少なくとも１種の錫化合物を含む少なくとも１種の触媒並びに、場合によっては、チタン、ガリウム、亜鉛、アンチモン、コバルト、マンガン、マグネシウム、ゲルマニウム、リチウム、アルミニウム化合物及び水酸化リチウム又は水酸化ナトリウムを含むアルミニウム化合物から選ばれた少なくとも１種の触媒と（ｉｉ）少なくとも１種の燐化合物、その反応生成物及びそれらの混合物から選ばれた少なくとも１種の熱安定剤の存在下で、加熱し；
（ＩＩ）工程（Ｉ）の生成物を、２３０〜３２０℃の温度において工程（Ｉ）の最終圧力〜０．０２トル（絶対）の範囲から選ばれた少なくとも１つの圧力下で１〜６時間加熱して、最終ポリエステルを形成する（ここで最終ポリエステルのジカルボン酸成分の総モル％は１００モル％であり且つ最終ポリエステルのグリコール成分の総モル％は１００モル％である）工程を含んでなる請求項１、５１、５２及び６６のいずれか１項に記載のポリエステルの製造方法。
【請求項８９】
前記熱安定剤を、工程（Ｉ）においてではなく、工程（ＩＩ）において添加する請求項８８に記載の方法。
【請求項９０】
前記熱安定剤を工程（Ｉ）及び（ＩＩ）において添加する請求項８８に記載に方法。
【請求項９１】
前記熱安定剤を、工程（Ｉ）においてではなく、工程（ＩＩ）の後に添加する請求項８８に記載の方法。